【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
可変表示を行う可変表示手段に特定表示結果が導出されたときに、遊技者にとって有利な特定遊技状態に制御する遊技機であって、
遊技の進行を制御する遊技制御手段と、
前記遊技制御手段からのコマンドにもとづいて演出の実行を制御する演出制御手段とを備え、
前記遊技制御手段は、
遊技機への電力供給が停止しても所定期間は記憶内容を保持可能なバックアップ記憶手段と、
特定状態として有利度が異なる複数種類のいずれかの特定状態に制御する状態制御手段と、
遊技機への電力供給が停止した後、遊技機への電力供給が開始されたときに、前記バックアップ記憶手段が記憶する記憶内容にもとづいて復旧時コマンドを出力する復旧時コマンド出力手段と、
未だ開始されない可変表示について、保留情報として記憶する保留記憶手段と、
保留情報にもとづいて可変表示を開始するときに、可変表示の表示結果を前記特定表示結果とするか否かを決定する事前決定手段と、
前記事前決定手段の決定結果にもとづいて、可変表示の可変表示パターンを、特定の演出表示を行うための特定可変表示パターンを含む複数種類の可変表示パターンのうちから決定する可変表示パターン決定手段と、
保留情報に対応する可変表示について、可変表示の表示結果が前記特定表示結果となるか否かを判定する始動時判定手段とを含み、
前記特定遊技状態は、複数のラウンドから構成され、
前記演出制御手段は、
前記可変表示パターン決定手段が決定した可変表示パターンを用いて可変表示を実行する可変表示制御手段と、
前記保留記憶手段に１の保留情報が記憶された後、該１の保留情報に対応する可変表示が開始されるまでに、該１の保留情報についての前記始動時判定手段の判定結果にもとづいて、遊技機に設けられた所定の演出手段を用いて該１の保留情報についての先読み予告を実行する先読み予告演出制御手段と、
前記特定遊技状態におけるラウンド中に、いずれの種類の特定状態に制御されるかを報知する報知演出を実行する特定状態報知手段と、
前記復旧時コマンドにもとづいて復旧時の演出を実行する復旧時演出実行手段とを含み、
前記復旧時コマンド出力手段は、前記特定遊技状態中に遊技機への電力供給が停止した後、遊技機への電力供給が開始されたときに、前記復旧時コマンドとして、遊技機への電力供給が停止したときのラウンドと、前記特定遊技状態のいずれのラウンドにおいて前記報知演出を実行するかとを特定可能な特定情報を含むコマンドを出力し、
前記復旧時演出実行手段は、前記復旧時コマンドに含まれる前記特定情報にもとづいて前記復旧時の演出を実行し、
前記演出制御手段はさらに、
保留情報に対応する可変表示の可変表示パターンが前記特定可変表示パターンとなるか否かを判定し、判定結果を特定可能な情報を所定の記憶手段に記憶する可変表示パターン判定手段を含み、
前記先読み予告演出制御手段は、前記１の保留情報に対応する可変表示が開始されるまでに実行される全ての可変表示について、前記可変表示パターン判定手段によって前記特定可変表示パターンとならないと判定されていることを条件に、前記先読み予告を実行し、
前記所定の記憶手段には、遊技機への電力供給が停止した後、遊技機への電力供給が開始されたときに、全ての保留情報について、可変表示の可変表示パターンが前記特定可変表示パターンとなることを示す情報が記憶される、
ことを特徴とする遊技機。
【手続補正２】
【補正対象書類名】明細書
【補正対象項目名】０００１
【補正方法】変更
【補正の内容】
【０００１】
本発明は、可変表示を行う可変表示手段に特定表示結果が導出されたときに、遊技者にとって有利な特定遊技状態に制御する遊技機に関する。
【手続補正３】
【補正対象書類名】明細書
【補正対象項目名】０００９
【補正方法】変更
【補正の内容】
【０００９】
（手段１）本発明による遊技機は、可変表示を行う可変表示手段に特定表示結果（例えば、大当り図柄）が導出されたときに、遊技者にとって有利な特定遊技状態（例えば、大当り遊技状態）に制御する遊技機であって、遊技の進行を制御する遊技制御手段（例えば、遊技制御用マイクロコンピュータ５６０）と、前記遊技制御手段からのコマンドにもとづいて演出の実行を制御する演出制御手段（例えば、演出制御用マイクロコンピュータ１００）とを備え、前記遊技制御手段は、遊技機への電力供給が停止しても所定期間は記憶内容を保持可能なバックアップ記憶手段（例えば、バックアップＲＡＭであるＲＡＭ５５）と、特定状態（例えば、大入賞口の開放時間が３０秒と長く遊技球の入賞が期待できるラウンドが継続すること（見た目上のラウンドが継続すること）や、大当り遊技終了後に確変状態に制御されること）として有利度が異なる複数種類のいずれかの特定状態に制御する状態制御手段（例えば、遊技制御用マイクロコンピュータ５６０において、ステップＳ１４０５で開放時間タイマに３０秒をセットしてステップＳ１４０６，Ｓ１４５４〜Ｓ１４５６を実行する部分や、ステップＳ１６７を実行する部分）と、遊技機への電力供給が停止した後、遊技機への電力供給が開始されたときに、前記バックアップ記憶手段が記憶する記憶内容にもとづいて復旧時コマンド（例えば、停電復旧指定コマンド）を出力する復旧時コマンド出力手段（例えば、遊技制御用マイクロコンピュータ５６０におけるステップＳ４３，Ｓ４４を実行する部分）と、未だ開始されない可変表示について、保留情報として記憶する保留記憶手段と、保留情報にもとづいて可変表示を開始するときに、可変表示の表示結果を前記特定表示結果とするか否かを決定する事前決定手段と、
前記事前決定手段の決定結果にもとづいて、可変表示の可変表示パターンを、特定の演出表示を行うための特定可変表示パターンを含む複数種類の可変表示パターンのうちから決定する可変表示パターン決定手段と、保留情報に対応する可変表示について、可変表示の表示結果が前記特定表示結果となるか否かを判定する始動時判定手段（始動口スイッチ通過処理において、第１始動口スイッチ１３ａまたは第２始動口スイッチ１３ｂがオンとなったときに、大当りとなるか否かの判定、大当りとなる場合はいずれの種別の大当りとなるかの判定、および実行される変動で用いられる変動パターンがいずれの変動パターンとなるかの判定を行う）とを含み、前記特定遊技状態は、複数のラウンドから構成され（例えば、通常大当り、確変大当りＡ〜Ｆ、突然確変大当りのいずれについても、図９〜図１２に示すように、内部制御上は１６ラウンドで構成される）、前記演出制御手段は、前記可変表示パターン決定手段が決定した可変表示パターンを用いて可変表示を実行する可変表示制御手段と、前記保留記憶手段に１の保留情報が記憶された後、該１の保留情報に対応する可変表示が開始されるまでに、該１の保留情報についての前記始動時判定手段の判定結果にもとづいて、遊技機に設けられた所定の演出手段を用いて該１の保留情報についての先読み予告を実行する先読み予告演出制御手段（判定結果コマンドの内容に応じて所定の実行抽選を行って、先読み予告演出を実行するか否かを決定するための先読み予告演出決定処理を行う）と、前記特定遊技状態におけるラウンド中に、いずれの種類の特定状態に制御されるかを報知する報知演出（例えば、継続示唆演出、継続成功演出、継続失敗演出、確変示唆演出、確変成功演出、確変失敗演出、継続失敗確定演出、復活演出、継続確定演出）を実行する特定状態報知手段（例えば、演出制御用マイクロコンピュータ１００において、ステップＳ３９１２，Ｓ３９１３，Ｓ３９１５，Ｓ３９１７，Ｓ３９２０，Ｓ３９２３，Ｓ３９２４，Ｓ３９２６，Ｓ３９２８，Ｓ３９３１，Ｓ３９３４，Ｓ３９３６，Ｓ３９３８の後にＳ２９０３を実行する部分）と、前記復旧時コマンドにもとづいて復旧時の演出（例えば、停電発生時に大当り遊技中であった場合にはラウンド中演出やラウンド後演出）を実行する復旧時演出実行手段（例えば、演出制御用マイクロコンピュータ１００におけるステップＳ６４０１〜Ｓ６６４を実行する部分）とを含み、前記復旧時コマンド出力手段は、前記特定遊技状態中に遊技機への電力供給が停止した後、遊技機への電力供給が開始されたときに、前記復旧時コマンドとして、遊技機への電力供給が停止したときのラウンドと、前記特定遊技状態のいずれのラウンドにおいて前記報知演出を実行するかとを特定可能な特定情報（例えば、大当り種別、停電発生時のラウンド）を含むコマンドを出力し（例えば、遊技制御用マイクロコンピュータ５６０は、停電発生時に大当り遊技のラウンド中であった場合に、大当り種別と停電発生時のラウンドとを含む停電復旧１指定コマンド〜停電復旧７指定コマンドを送信する。図１３参照。）、前記復旧時演出実行手段は、前記復旧時コマンドに含まれる前記特定情報にもとづいて前記復旧時の演出を実行し（例えば、演出制御用ＣＰＵ１０１は、ステップＳ３９１１，Ｓ３９１６，Ｓ３９１９，Ｓ３９２２，Ｓ３９２７，Ｓ３９３０，Ｓ３９３３，Ｓ３９３５，Ｓ３９３７において、停電復旧指定コマンドで特定される大当り種別および停電発生時のラウンドにもとづいて、継続示唆演出や、継続成功演出、継続失敗演出、確変示唆演出、確変成功演出、確変失敗演出、継続失敗確定演出、復活演出、継続確定演出であったか否かを特定して、ステップＳ３９１２，Ｓ３９１３，Ｓ３９１５，Ｓ３９１７，Ｓ３９２０，Ｓ３９２３，Ｓ３９２４，Ｓ３９２６，Ｓ３９２８，Ｓ３９３１，Ｓ３９３４，Ｓ３９３６，Ｓ３９３８の後にＳ２９０３を実行する）、前記演出制御手段はさらに、保留情報に対応する可変表示の可変表示パターンが前記特定可変表示パターンとなるか否かを判定し、判定結果を特定可能な情報を所定の記憶手段に記憶する可変表示パターン判定手段（演出用保留記憶バッファに判定結果コマンドの内容を記憶する）を含み、前記先読み予告演出制御手段は、前記１の保留情報に対応する可変表示が開始されるまでに実行される全ての可変表示について、前記可変表示パターン判定手段によって前記特定可変表示パターンとならないと判定されていることを条件に、前記先読み予告を実行し（演出用保留記憶バッファに記憶されている判定結果コマンドを参照して、先読み予告演出を実行するか否かの対象となる変動が実行されるまでに実行される変動において、大当りとなるか否か、および大当りとならない場合であってもリーチ演出が実行されるか否かが判定）、前記所定の記憶手段には、遊技機への電力供給が停止した後、遊技機への電力供給が開始されたときに、全ての保留情報について、可変表示の可変表示パターンが前記特定可変表示パターンとなることを示す情報が記憶される（演出用保留記憶バッファにおける、送信された保留記憶数分の可変表示に対応した格納領域に格納されている判定結果コマンドのデータに対し、大当りとならず、かつリーチ演出が実行されない変動を示すデータ以外のデータを設定する。）、ことを特徴とする。そのような構成により、遊技制御手段側にバックアップ記憶手段を備えるだけで、遊技機への電力供給が停止した後、遊技機への電力供給が開始された場合に適切に特定状態の報知を行うことができ、遊技者に不信感を与えることを防止することができる。